(57)【要約】【課題】送風効率に優れた電動送風機を提供する。【解決手段】界磁巻線２と界磁コア３を有した界磁部４と、界磁部４の内側に配置され、電機子巻線５と電機子コア６及び回転軸７を有する電機子８と、界磁部４を収納し、電機子８を回転自在に挟持するブラケット１４と、回転軸７の一端に固定されたファン９と、ファン９で発生した気流を導くエアガイド１２と、ファン９とエアガイド１２を覆うファンケース１３とを有し、ブラケット１４は、界磁部４を収納するブラケット円筒部１５と、ブラケット円筒部１５の終端より垂直に形成され、エアガイド１２を収納するブラケットフランジ部１６と、ブラケットフランジ部１６の終端より垂直に形成されたブラケット周縁部１７で構成され、ファンケース１３をブラケット周縁部１７の内側に圧入するもので、ファン９より送り出される気流がスムーズに整流され、送風効率が向上する。【選択図】図１
2008303722.tif 000002
【特許請求の範囲】
【請求項１】
界磁巻線と界磁コアを有した界磁部と、前記界磁部の内側に配置され、電機子巻線と電機子コア及び回転軸を有する電機子と、前記界磁部を収納すると共に前記電機子を回転自在に挟持するブラケットと、前記回転軸の一端に固定されたファンと、前記ファンで発生した気流を導くエアガイドと、前記ファンと前記エアガイドを覆うファンケースとを有し、前記ブラケットは、前記界磁部を収納するブラケット円筒部と、前記ブラケット円筒部の終端より垂直に形成され、前記エアガイドを収納するブラケットフランジ部と、前記ブラケットフランジ部の終端より垂直に形成されたブラケット周縁部で構成され、前記ファンケースを前記ブラケット周縁部の内側に圧入することを特徴とした電動送風機。
【請求項２】
ファンケースのブラケットへの圧入部の終端を、ブラケットフランジ部に密着させることを特徴とした請求項１に記載の電動送風機。
【請求項３】
ファンケースのブラケットへの圧入部の終端に、内側Ｒ形状を形成した請求項１に記載の電動送風機。
【請求項４】
ファンケースのブラケットへの圧入部の終端とブラケットフランジ部との間に空間を設け、前記空間内に、ファン及び、エアガイドから流れ込む気流の流れに沿ってＲ形状を形成したガイド部品を備えた請求項１に記載の電動送風機。
【請求項５】
請求項１〜４のいずれか１項に記載の電動送風機を用いた電気掃除機。
【発明の詳細な説明】
【技術分野】
【０００１】
本発明は、電動送風機及びそれを用いた電気掃除機に関するものである。
【背景技術】
【０００２】
従来、この種の電動送風機においては、ファンケースのブラケットへの固定方法として、ブラケット周縁部の外周側にファンケースを圧入していた（例えば、特許文献１参照）。
【０００３】
図５は、上記特許文献１に記載された従来の電動送風機の半断面図である。
【０００４】
図５において、従来の電動送風機は、ファン９と、エアガイド１２と、ファン９とエアガイド１２を覆うファンケース１３と、ブラケットフランジ部１６と、ブラケット周縁部１７とから構成され、ファンケース１３のファンケース側面部１８が、ブラケット周縁部１７の外周側に圧入されていた。
【特許文献１】特開平０７−７５２８１号公報
【発明の開示】
【発明が解決しようとする課題】
【０００５】
しかしながら、前記従来の電動送風機の構成では、ファン９が回転すると、外気が、ファン９の吸気口９ａより吸気され、エアガイド１２により整流された気流が、ファンケース側面部１８に沿って、ブラケットフランジ部１６へ流れていくが、その際に、ファンケース側面部１８の内側に位置するブラケット周縁部１７の終端の段差により気流が乱され、送風効率を悪化させるという課題を有していた。
【０００６】
本発明は、前記従来の課題を解決するもので、気流をスムーズに整流させ、送風効率を向上させた電動送風機及び集塵性能に優れた電気掃除機を提供することを目的とする。
【課題を解決するための手段】
【０００７】
前記従来の課題を解決する為に、本発明の電動送風機は、界磁巻線と界磁コアを有した界磁部と、前記界磁部の内側に配置され、電機子巻線と電機子コア及び回転軸を有する電機子と、前記界磁部を収納すると共に前記電機子を回転自在に挟持するブラケットと、前記回転軸の一端に固定されたファンと、前記ファンで発生した気流を導くエアガイドと、前記ファンと前記エアガイドを覆うファンケースとを有し、前記ブラケットは、前記界磁部を収納するブラケット円筒部と、前記ブラケット円筒部の終端より垂直に形成され、前記エアガイドを収納するブラケットフランジ部と、前記ブラケットフランジ部の終端より垂直に形成されたブラケット周縁部で構成され、前記ファンケースを前記ブラケット周縁部の内側に圧入するもので、ファンより送り出された気流が、ブラケット周縁部終端の段差により乱されることが無く、スムーズに整流され、送風効率を向上させることが可能となる。
【０００８】
また、本発明の電気掃除機は、請求項１〜４のいずれか１項に記載の電動送風機を用いたもので、電気掃除機の集塵性能を向上させることができる。
【発明の効果】
【０００９】
本発明の電動送風機は、ファンより送り出される気流がスムーズに整流され、送風効率が良いもので、それを電気掃除機に用いることで、集塵性能に優れた電気掃除機を提供することができる。
【発明を実施するための最良の形態】
【００１０】
第１の発明は、界磁巻線と界磁コアを有した界磁部と、前記界磁部の内側に配置され、電機子巻線と電機子コア及び回転軸を有する電機子と、前記界磁部を収納すると共に前記電機子を回転自在に挟持するブラケットと、前記回転軸の一端に固定されたファンと、前記ファンで発生した気流を導くエアガイドと、前記ファンと前記エアガイドを覆うファンケースとを有し、前記ブラケットは、前記界磁部を収納するブラケット円筒部と、前記ブラケット円筒部の終端より垂直に形成され、前記エアガイドを収納するブラケットフランジ部と、前記ブラケットフランジ部の終端より垂直に形成されたブラケット周縁部で構成され、前記ファンケースを前記ブラケット周縁部の内側に圧入するもので、ファンより送り出された気流が、ブラケット周縁部終端の段差により乱されることが無く、スムーズに整流され、送風効率を向上させることが可能となる。
【００１１】
第２の発明は、特に、第１の発明のファンケースのブラケットへの圧入部の終端を、ブラケットフランジ部に密着させるもので、ファンより送り出される気流をスムーズに整流させ、送風効率を向上させることが可能となる。
【００１２】
第３の発明は、特に、第１の発明のファンケースのブラケットへの圧入部の終端に、内側Ｒ形状を形成したもので、ファンより送り出される気流をスムーズにブラケット円筒部へ導くよう整流させ、送風効率を向上させることが可能となる。
【００１３】
第４の発明は、特に、第１の発明のファンケースのブラケットへの圧入部の終端とブラケットフランジ部との間に空間を設け、前記空間内に、ファン及び、エアガイドから流れ込む気流の流れに沿ってＲ形状を形成したガイド部品を備えたもので、ファンより送り出される気流をスムーズにブラケット円筒部へ導くよう整流させ、送風効率を向上させることが可能となる。
【００１４】
第５の発明による電気掃除機は、請求項１〜４のいずれか１項に記載の電動送風機を用いたもので、電気掃除機の集塵性能を向上させることができる。
【００１５】
以下、本発明の実施の形態について図面を参照しながら説明する。なお、この実施の形態によって本発明が限定されるものではない。
【００１６】
（実施の形態１）
図１は、本発明の第１の実施の形態における電動送風機の断面図である。なお、上記従来の電動送風機と同一部分には、同一符号を付してその説明を省略する。
【００１７】
図１において、本実施の形態における電動送風機１は、磁界を発生させる為の界磁巻線２及び界磁コア３から成る界磁部４と、回転力を発生させる為の電機子巻線５、電機子コア６及び回転軸７を有する電機子８と、吸引力を発生させる為に回転軸７の一端に固定されたファン９と、ファン９で発生した気流を導くと共に、上部羽根１０と下部羽根１１から成るエアガイド１２と、ファン９とエアガイド１２を覆うファンケース１３と、界磁部４を収納すると共に、電機子８を、回転自在に挟持するブラケット１４とで構成されている。
【００１８】
ブラケット１４は、界磁部４を収納するブラケット円筒部１５と、ブラケット円筒部１５の終端より垂直に形成され、エアガイド１２を収納するブラケットフランジ部１６と、ブラケットフランジ部１６の終端より垂直に形成され、ファンケース１３との圧入に使用されるブラケット周縁部１７で構成され、ファンケース１３のファンケース側面部１８の外周径を、ブラケット周縁部１７の内周径より小さくし、ファンケース１３をブラケット周縁部１７の内側に圧入している。
【００１９】
以上のように構成された本実施の形態における電動送風機１の動作、作用を説明する。
【００２０】
まず、電動送風機１に電源が印加されると、界磁部４より磁界が発生し、その磁束を電機子巻線５が受け、電機子８が回転する。電機子８が回転することにより、回転軸７の一端に固定されているファン９も回転し、吸引力を発生させて外気を吸い込む。
【００２１】
吸い込まれた外気は、ファン９より吐き出され、上部羽根１０により気流が整流され、ファンケース側面部１８に沿ってブラケットフランジ部１６へ流れる。この際、ファンケース側面部１８の内側に、気流の流れを乱すような障害物はなく、気流はスムーズにファンケース側面部１８からブラケットフランジ部１６へ流れる。その後、外気は、下部羽根１１により整流され、ブラケットフランジ部１６に沿ってブラケット円筒部１５へと流れ、最終的に電動送風機１の外へ排出される。
【００２２】
以上のように、本実施の形態によれば、電動送風機１が吸引する外気の気流の乱れを減少させることができるので、送風効率を大幅に向上させることが可能となる。
【００２３】
（実施の形態２）
図２は、本発明の第２の実施の形態における電動送風機の断面図である。なお、実施の形態１と同一構成部品については同一符号を付して、その説明を省略する。
【００２４】
本実施の形態は、図２に示すように、ファンケース側面部１８のブラケット周縁部１７への圧入部１８ａの終端１９を、ブラケットフランジ部１６に密着させたものである。
【００２５】
以上のように構成された本実施の形態における電動送風機について、以下その動作、作用を説明する。
【００２６】
まず、ファン９が回転し、吸引力を発生させて外気を吸い込む。吸い込まれた外気は、ファン９より吐き出され、上部羽根１０により気流が整流され、ファンケース側面部１８に沿って、圧入部１８ａの終端１９を介し、ブラケットフランジ部１６へ流れる。この際、ファンケース側面部１８からブラケットフランジ部１６にかけて、気流の向きを分散させるような空間を排除することで、気流をさらにスムーズにファンケース側面部１８からブラケットフランジ部１６へ流すことができる。
【００２７】
以上のように、本実施の形態によれば、電動送風機１が吸引する外気の気流の乱れを、さらに減少させて、送風効率をより向上させることが可能となる。
【００２８】
（実施の形態３）
図３は、本発明の第３の実施の形態における電動送風機の断面図である。
【００２９】
なお上記実施の形態と同一構成部品については、同一符号を付して、その説明を省略する。
【００３０】
本実施の形態は、図３に示すように、ファンケース側面部１８のブラケット周縁部１７への圧入部１８ａの終端１９に、内側Ｒ形状２０を形成したものである。
【００３１】
以上のように構成された本実施の形態における電動送風機の動作、作用を説明する。
【００３２】
まず、ファン９が回転し、吸引力を発生させて外気を吸い込む。吸い込まれた外気はファン９より吐き出され、上部羽根１０により気流が整流され、ファンケース側面部１８に沿って、内側Ｒ形状２０を介し、ブラケットフランジ部１６へ流れる。この際、ファンケース側面部１８からブラケットフランジ部１６にかけて、気流の向きをブラケット円筒部１５方向へ導くような内側Ｒ形状２０が形成されているので、気流をさらにスムーズにファンケース側面部１８からブラケットフランジ部１６へ流すことができる。
【００３３】
以上のように、本実施の形態においては、電動送風機１が吸引する外気の気流の乱れを減少させることで、送風効率を向上させることが可能となる。
【００３４】
（実施の形態４）
図４は、本発明の第４の実施の形態における電動送風機の断面図である。なお上記実施の形態と同一構成部品については、同一符号を付して、その説明を省略する。
【００３５】
本実施の形態は、図４に示すように、ファンケース１３の圧入部１８ａの終端１９とブラケットフランジ部１６との間に空間を設け、その空間内に、ファン９及び、エアガイド１２の上部羽根１０から流れ込む気流の流れに沿ってブラケット円筒部１５方向へ気流を導く、Ｒ形状を形成したガイド部品２１を備えたものである。
【００３６】
以上のように構成された本実施の形態における電動送風機について、以下その動作、作用を説明する。
【００３７】
まず、ファン９が回転し、吸引力を発生させて外気を吸い込む。吸い込まれた外気はファン９より吐き出され、上部羽根１０により気流が整流され、ファンケース側面部１８に沿って、Ｒ形状を形成したガイド部品２１を介し、ブラケットフランジ部１６へ流れる。この際、ファンケース側面部１８からブラケットフランジ部１６にかけて、気流の向きをブラケット円筒部１５方向へ導くようなＲ形状を形成したガイド部品２１を備えることで、気流をさらにスムーズにファンケース側面部１８からブラケットフランジ部１６へ流すことができる。
【００３８】
以上のように、本実施の形態においては、電動送風機１が吸引する外気の気流の乱れを減少させることで、送風効率を向上させることが可能となる。
【産業上の利用可能性】
【００３９】
以上のように、本発明にかかる電動送風機は、吸引する外気の気流の乱れを減少させることで、送風効率を向上させることができるもので、電気掃除機など、吸引力を発生させる電動送風機を用いる各種機器の用途に適用できる。
【図面の簡単な説明】
【００４０】
【図１】本発明の実施の形態１における電動送風機の断面図
【図２】本発明の実施の形態２における電動送風機の断面図
【図３】本発明の実施の形態３における電動送風機の断面図
【図４】本発明の実施の形態４における電動送風機の断面図
【図５】従来の電動送風機の半断面図
【符号の説明】
【００４１】
１      電動送風機
２      界磁巻線
３      界磁コア
４      界磁部
５      電機子巻線
６      電機子コア
７      回転軸
８      電機子
９      ファン
１０    上部羽根
１１    下部羽根
１２    エアガイド
１３    ファンケース
１４    ブラケット
１５    ブラケット円筒部
１６    ブラケットフランジ部
１７    ブラケット周縁部
１８    ファンケース側面部
１８ａ  圧入部
１９    終端
２０    内側Ｒ形状
２１    ガイド部品
【図１】
2008303722.tif 000003
【図２】
2008303722.tif 000004
【図３】
2008303722.tif 000005
【図４】
2008303722.tif 000006
【図５】
2008303722.tif 000007